(57)【要約】【課題】簡易な作業で音響出力素子アレイに所望の指向特性を実現する。【解決手段】同一軸上に並べられた音響出力素子アレイと、再生音信号が入力される各音響出力素子と同数のディジタルフィルタを有する第１ディジタルフィルタ群と、妨害音信号が入力される同じ数のディジタルフィルタを有する第２ディジタルフィルタ群を含み、第１ディジタルフィルタ群には、各音響出力素子から放出される各音響信号を、各音響出力素子から各制御点までが自由空間であると近似した各近似伝達関数で畳み込んで混合した場合に、当該畳み込み混合信号が、各音響出力素子が並べられた軸方向に設定された音響再生領域の制御点で否零となり、当該音響再生領域を除く音響遮断領域の制御点で零となるフィルタ係数が設定され、第２ディジタルフィルタ群には、音響再生領域の制御点で零となり、当該音響再生領域を除く音響遮断領域の制御点で否零となるフィルタ係数が設定される。【選択図】図１０
2010109579.tif 000002
【特許請求の範囲】
【請求項１】
同一軸上に並べられ、各指向特性が当該軸に対して軸対称となる向きに配置される複数の音響出力素子と、
再生音信号が入力される前記音響出力素子と同数のディジタルフィルタを有する第１ディジタルフィルタ群と、妨害音信号が入力される前記音響出力素子と同数のディジタルフィルタを有する第２ディジタルフィルタ群と、前記第１ディジタルフィルタ群と前記第２ディジタルフィルタ群の各フィルタの出力信号を加算する加算器群とを含み、前記第１ディジタルフィルタ群と前記第２ディジタルフィルタ群の前記複数の音響出力素子に対応するそれぞれの出力信号を加算して生成した各供給信号を、対応する前記音響出力素子に供給する信号供給部と、を有し、
前記各音響出力素子は、供給された前記各供給信号に応じた音響信号を出力し、
前記第１ディジタルフィルタ群は、前記各音響出力素子から出力される各音響信号を、各音響出力素子から各制御点までが自由空間であると近似した場合における各音響出力素子から各制御点までの各近似伝達関数で畳み込んで各制御点でそれぞれ混合した場合に、当該畳み込み混合信号が、前記各音響出力素子が並べられた軸方向に設定された音響再生領域の制御点で否零となり、当該音響再生領域を除く音響遮断領域の制御点で零となるフィルタ係数が設定された第１ディジタルフィルタ群であり、
前記第２ディジタルフィルタ群は、前記各音響出力素子から出力される各音響信号を、各音響出力素子から各制御点までが自由空間であると近似した場合における各音響出力素子から各制御点までの各近似伝達関数で畳み込んで各制御点でそれぞれ混合した場合に、当該畳み込み混合信号が、前記各音響出力素子が並べられた軸方向に設定された音響再生領域の制御点で零となり、当該音響再生領域を除く音響遮断領域の制御点で否零となるフィルタ係数が設定された第２ディジタルフィルタ群であり、
前記各近似伝達関数は、各音響出力素子から各制御点までの各距離によってそれぞれ定まる関数である、
ことを特徴とする音響出力素子アレイ。
【請求項２】
請求項１に記載の音響出力素子アレイであって、
前記妨害音信号が、前記再生信号と同じ傾向の周波数振幅特性を持つことを特徴とする音響出力素子アレイ。
【請求項３】
請求項１に記載の音響出力素子アレイであって、
前記再生音信号を入力として、前記再生音信号と同一の時間包絡特性の妨害音を生成して前記第２ディジタルフィルタ群に入力する妨害音生成部を具備することを特徴とする音響出力素子アレイ。
【請求項４】
請求項１から３の何れかに記載の音響出力素子アレイであって、
前記各制御点は、前記各音響出力素子が並べられた軸上、及び／又は、当該軸に対して軸対称となる点の組の或る一点のみに設定される、
ことを特徴とする音響出力素子アレイ。
【請求項５】
請求項１から４の何れかに記載の音響出力素子アレイであって、
少なくとも一部の音響出力素子から任意の制御点までの前記近似伝達関数は、当該音響出力素子と当該制御点との間の距離をｒとし、音速をｃとし、虚数単位をｊとし、周波数をωとし、ネイピア数をｅｘｐとし、α≠０を定数とした場合における、(α/r)・exp(‐j・ω・r/c)である、
ことを特徴とする音響出力素子アレイ。
【請求項６】
請求項１から５の何れかに記載の音響出力素子アレイであって、
少なくとも一部の前記音響出力素子は、その第１部位から第１音響信号を出力し、第２部位から当該第１音響信号と位相が反転した第２音響信号を出力する二重音源素子であり、
前記二重音源素子である音響出力素子から任意の制御点までの前記近似伝達関数は、第１部位と当該制御点との間の距離をｒＦとし、第２部位と当該制御点との間の距離をｒＲとし、音速をｃとし、虚数単位をｊとし、周波数をωとし、ネイピア数をｅｘｐとし、αＦ＞０及びαＲ＞０を定数とした場合における、(αＦ/rF)・exp(‐j・ω・rF/c)‐(αＲ/rR)・exp(‐j・ω・rR/c)である、
ことを特徴とする音響出力素子アレイ。
【請求項７】
請求項１から６の何れかに記載の音響出力素子アレイであって、
前記第１・第２ディジタルフィルタ群は、前記音響再生領域の少なくとも一部の制御点で、前記畳み込み混合信号の値が周波数に応じて変化するフィルタ係数が設定されたディジタルフィルタである、
ことを特徴とする音響出力素子アレイ。
【請求項８】
請求項１から７の何れかに記載の音響出力素子アレイであって、
前記各音響出力素子は、供給された前記各供給信号に応じた音響信号の少なくとも一部を前記音響再生領域側に向けて出力する、
ことを特徴とする音響出力素子アレイ。
【請求項９】
請求項１から８の何れかに記載の音響出力素子アレイであって、
前記音響遮断領域に配置された音声通信用の受音素子をさらに有し、
前記受音素子から出力された出力信号は、通信相手の装置へ送信され、
前記信号供給部は、前記通信相手の装置から送信された送信信号が前記第１ディジタルフィルタ群に入力されることで生成された各供給信号を前記音響出力素子に供給する、
ことを特徴とする音響出力素子アレイ。
【請求項１０】
請求項９に記載の音響出力素子アレイであって、
前記複数の音響出力素子が並べられる軸は、地面に対して垂直な軸であり、
前記各音響出力素子は、それぞれの音響信号放出面を地面と反対の方向に向けて配置される、
ことを特徴とする音響出力素子アレイ。
【請求項１１】
同一軸上に並べられ、各指向特性が当該軸に対して軸対称となる向きに配置される複数の音響出力素子に対し、
再生音信号が入力される前記音響出力素子と同数のディジタルフィルタを有する第１ディジタルフィルタ群と、妨害音信号が入力される前記音響出力素子と同数のディジタルフィルタを有する第２ディジタルフィルタ群と、前記第１ディジタルフィルタ群と前記第２ディジタルフィルタ群の各フィルタの出力信号を加算する加算器群とを含む信号供給部が、前記第１ディジタルフィルタ群と前記第２ディジタルフィルタ群の前記複数の音響出力素子に対応するそれぞれの出力信号を加算して生成した各供給信号を、対応する前記音響出力素子に供給する過程と、
前記各音響出力素子が、供給された前記各供給信号に応じた音響信号を出力する過程とを有し、
前記第１ディジタルフィルタ群は、前記各音響出力素子から出力される各音響信号を、各音響出力素子から各制御点までが自由空間であると近似した場合における各音響出力素子から各制御点までの各近似伝達関数で畳み込んで各制御点でそれぞれ混合した場合に、当該畳み込み混合信号が、前記各音響出力素子が並べられた軸方向に設定された音響再生領域の制御点で否零となり、当該音響再生領域を除く音響遮断領域の制御点で零となるフィルタ係数が設定された第１ディジタルフィルタ群であり、
前記第２ディジタルフィルタ群は、前記各音響出力素子から出力される各音響信号を、各音響出力素子から各制御点までが自由空間であると近似した場合における各音響出力素子から各制御点までの各近似伝達関数で畳み込んで各制御点でそれぞれ混合した場合に、当該畳み込み混合信号が、前記各音響出力素子が並べられた軸方向に設定された音響再生領域の制御点で零となり、当該音響再生領域を除く音響遮断領域の制御点で否零となるフィルタ係数が設定された第２ディジタルフィルタ群であり、
前記各近似伝達関数は、各音響出力素子から各制御点までの各距離によってそれぞれ定まる関数である、
ことを特徴とする音響出力方法。
【請求項１２】
請求項１１に記載の音響出力方法であって、
前記妨害音信号が、前記再生信号と同じ傾向の周波数振幅特性を持つことを特徴とする音響出力方法。
【請求項１３】
請求項１１に記載の音響出力方法であって、
妨害音生成部が、前記再生音信号を入力として、前記再生音信号と同一の時間包絡特性の妨害音を生成して前記第２ディジタルフィルタ群に入力する妨害音生成過程を含むことを特徴とする音響出力方法。
【請求項１４】
請求項１１から１３の何れかに記載の音響出力方法であって、
前記各制御点は、前記各音響出力素子が並べられた軸上、及び／又は、当該軸に対して軸対称となる点の組の或る一点のみに設定される、
ことを特徴とする音響出力方法。
【請求項１５】
請求項１１から１４の何れかに記載の音響出力方法であって、
少なくとも一部の音響出力素子から任意の制御点までの前記近似伝達関数は、当該音響出力素子と当該制御点との間の距離をｒとし、音速をｃとし、虚数単位をｊとし、周波数をωとし、ネイピア数をｅｘｐとし、α≠０を定数とした場合における、(α/r)・exp(‐j・ω・r/c)である、
ことを特徴とする音響出力方法。
【発明の詳細な説明】
【技術分野】
【０００１】
本発明は、複数の音響出力素子から信号を発信する音響出力素子アレイ及びその音響出力方法に関し、特に、特定の方向に指向性を絞った信号の提供を行う技術に関する。
【背景技術】
【０００２】
近年、電話回線やＡＤＳＬ回線、光ネットワークなどを用いて遠隔地同士を結んだ通信会議が頻繁に行われるようになってきた。このような通信会議は、一般的には音響的に閉鎖された会議室などで行われているが、オープンオフィス（ディスクが並んだ大部屋）の片隅においても簡易に通信会議が行われることが望まれている。このような場所での通信会議では、会議に参加していない人々には拡声される音声を聞かせたくないため、ある特定の領域、あるいは特定の方向にのみ音が再生できる技術が望まれている。
【０００３】
これを実現するための音を特定の方向にだけ放射する音響出力素子としては指向性スピーカが知られている。指向性スピーカは、従来からホーンスピーカ、パラメトリックスピーカ、アナログスピーカアレイ、ディジタルフィルタ型スピーカアレイなどが知られている。
【０００４】
ホーンスピーカ（三井田惇郎,「音響工学」, p. 101，昭晃堂，1993年）は、ホーンの
幾何学的形状によって指向性を実現するものであり、通常は高域用に限定されており、幅広い周波数範囲で鋭い指向性を得るためには、１ｍを越えるような大きなサイズのホーンが必要となり、あまり一般的な用途には利用できない。パラメトリックスピーカ（特許文献１）は、鋭い指向性を持つ超音波を可聴音のキャリア（搬送波）にすることで、可聴音に対しても鋭い指向性を得ようとする方式であり、音声信号で変調された超音波の空気中の非線形性で元の音声信号が復調される方式である。この方法は鋭い指向性が得られることで知られているが、超音波を放出するための特別なアンプが必要なこと、超音波が人体に与える影響を抑えること、などの課題がある。
【０００５】
これに対し、近年ディジタルフィルタ信号処理を用いたスピーカアレイが提案されている（特許文献２）。この方法では、空間に配置された複数のスピーカにそれぞれ独立なディジタルフィルタを接続し、これらディジタルフィルタの特性を、同一空間内に配置された複数の制御点での観測信号が予め設定された音再生方向では所望の平面波となり、予め設定された音響遮断領域では観測信号が零となるように定めたことを特徴とする。結果として、ある特定の方向にのみ音を再生する指向性スピーカを実現することができる。
【０００６】
図１は、特許文献２に示された複数のスピーカ１２を直線状に並べたスピーカアレイの構成を示す構成図である。この図において、信号入力端子１０は、再生したい音響信号（音）に対応する信号をスピーカアレイに入力するための入力端子であり、ディジタルフィルタ１１は、再生される音響信号の指向性を決定するためのディジタルフィルタであり、スピーカ１２は、音響信号を空間に放出する音響出力素子である。また、●で示した強調制御点１３ａ,１３ｂ及び○で囲んだ×で示した抑圧制御点１４は、ディジタルフィルタ１１のフィルタ係数を決定するために空間に放出された音響信号を観測する制御点である。また、音響再生領域１５は、音響信号を放出する領域であり、受聴者１６は、スピーカ１２から放出された音響信号を受聴する。なお、信号入力端子１０に入力される信号がアナログ信号である場合、信号入力端子１０とディジタルフィルタ１１との間にＡ／Ｄ変換機が必要となり、ディジタルフィルタ１１とスピーカ１２との間にＤ／Ａ変換機とアンプとが必要となるが、図１ではこれらを省略している。また、この例では、通信会議などで、ＴＶモニタの下などに直線スピーカアレイが設置されることを想定し、スピーカアレイを構成する各スピーカ１２が並べられた軸（「スピーカアレイの軸」という）に対して垂直な方向に受聴者１６がいることを想定している。
【０００７】
また、ディジタルフィルタ１１は、通常、以下のようなＦＩＲ（Finite Impulse Response:有限インパルス応答）フィルタによって構成される。
【数１】
2010109579.tif 000003
【０００８】
ここで、Ｌはフィルタタップ数であり、ｍ（ｍ＝１,...,Ｍ、Ｍはスピーカ１２の総数
）は、各ディジタルフィルタを識別する識別子であり、ｘｍ(τ−ｋ)は、識別子ｍのディジタルフィルタへの離散時刻τ−ｋでの入力信号であり、ｈｍ(ｋ)は、識別子ｍのディジタルフィルタのインパルス応答（フィルタ係数）である。また、式（１）のインパルス応答（フィルタ係数）の系列をｚ変換すると以下のようになる。
【数２】
2010109579.tif 000004
ただし、ｚは周波数依存の複素変数である。このようにインパルス応答（フィルタ係数）の系列をｚ変換したものを伝達関数と呼ぶ。以下では、ωを周波数として式（２）の伝達関数をＨｍ(ω)と表現する。
【０００９】
この例では、平面波であることを確認するため、音響信号の進行方向に対して、垂直に強調制御点１３ａを配置し、さらに進行した音波が平面波を保っていることを保証するために、第２の強調制御点１３ｂを配置している。ここで、各ディジタルフィルタ１１は、音響出力素子アレイから放出された音響信号が第一列目の全ての強調制御点１３ａにおいて１になり 、第２列目の全ての強調制御点１３ｂにおいて、第一列目と第二列目の距離
差を音速で割った時間差分だけ第一列目の音響信号から位相が遅れた音響信号の音圧となり、抑圧制御点１４において、音響信号の音圧が０になるように設定される。このような条件を満たすフィルタ特性は以下のように記述することができる。
【数３】
2010109579.tif 000005
【００１０】
ここで、Ｇｍｎ（ω）は、ｍ番目のスピーカ１２からｎ（ｎ＝１,...,Ｎ、Ｎは制御点
の総数）番目の制御点までのインパルス応答の系列をｚ変換した周波数依存の（室内）伝達関数でり、各制御点１３ａ,１３ｂ,１４でマイクロホンを用いて実際に観測された音響信号に基づき設定されるものである。また、式（３）の左辺の演算結果であるＮ次元ベクトルの各要素は、式（２）に示すフィルタ係数の各ＦＩＲフィルタにインパルス信号が入力された場合に各ＦＩＲフィルタから出力される応答信号が各スピーカ１２から放出され、それらから各制御点までのインパルス応答で畳み込まれて、各制御点でそれぞれ混合された畳み込み混合信号を示している。また、この式において、ｎ＝１からＰ−１までの制御点が音圧を零に制御する抑圧制御点１４を示し、ｎ＝ＰからＱ−１までの制御点が第一列目の強調制御点１３ａを示し、ｎ＝ＱからＮまでの制御点が第二列目の強調制御点１３ｂを示している。また、Δは第一列目の強調制御点１３ａ（ｎ＝１からＰ−１までの制御点 ）と第二列目の強調制御点１３ｂ（ｎ＝ＰからＱ−１までの制御点 ）との距離差を音速で割った遅延時間である。さらに、ｅｘｐはネイピア数を示し、ｊは虚数単位を示す。
【００１１】
さて、上記式（３）をＧ・Ｈ＝Ｒとおくと、音響出力素子アレイに接続されたディジタルフィルタの特性は、以下の式で求められる。なお、αＴはαの転置行列を示す。
Ｈ＝ＧＴ・（ＧＴ・Ｇ）−１・Ｒ  …(4)
また、逆行列が不安定にならないように、ＧＴ・Ｇの最大固有値に比べて小さな正の定数をδとしたとき、以下の式で代用してＨを求めても良い。ただし、ＩはＭ×Ｍの単位行列である。
Ｈ＝ＧＴ・（ＧＴ・Ｇ＋δ・Ｉ）−１・Ｒ  …(5)
以上のような構成により、スピーカアレイのサイズよりも広がりを押さえた平面波を実現している。
【特許文献１】特開２００３−１５３３６９号公報
【特許文献２】特開２００５−２３６６３６号公報
【発明の開示】
【発明が解決しようとする課題】
【００１２】
スピーカアレイの軸に対して垂直な方向に受聴者１６がいるのではなく、図２に示すようにスピーカアレイの軸方向に受聴者１６がいる場合、すなわち、スピーカアレイの軸方向に音響再生領域１５を設定する場合を考える。なお、軸２１はスピーカアレイの軸を示し、スピーカアレイの軸２１方向に受聴者１６が存在し、その方向に音響再生領域１５が設定されていることを示している。また、音響遮断領域２２は、音を抑圧すべき領域であり、これと音響再生領域１５との音圧差によりスピーカアレイの指向特性が決まる。なお、スピーカアレイの軸２１方向に受聴者１６がいるのは、例えば、狭い幅の机の上でスピーカアレイを構成する場合などで、受聴者１６からみて横方向には幅が取れないが、奥行き方向には幅が取れるような場合である。
【００１３】
このとき、図２に示すように各スピーカ１２の前面を、スピーカアレイの軸に対して垂直に向けた場合、各スピーカ１２全体を囲むように制御点を設けなければ、所望の指向特性を実現するディジタルフィルタのフィルタ係数を決定できない。なぜなら、各スピーカ１２自身が前面と背面で非対称な指向特性を持つため、各スピーカ１２の前面側と背面側で別個に指向特性を制御する必要があるからである。この場合、非常に多くの抑圧制御点を配置しなければならない。例えば、図２にあるように、スピーカアレイの軸から４５度の方向から３１５度の方向まで２２．５度間隔で抑圧制御点を配置しようとすると全部で１３個の抑圧制御点を配置しなければならない。また、上下方向まで制御することを考えると約６０個の抑圧制御点を配置しなければならない。そして、フィルタ係数を決定するために、設定した多くの各制御点で実際に音響信号を観測し、それらの観測結果から伝達関数Ｇｍｎ（ω）を算出するといった煩雑な作業が必要となる。
【００１４】
このような問題は、複数のスピーカから構成されるスピーカアレイに限定される問題ではなく、何らかの音響信号を出力する複数の音響出力素子から構成される音響出力素子アレイに共通する問題である。
【００１５】
本発明は、このような点に鑑みてなされたものであり、音響出力素子アレイを構成する各音響出力素子が並べられた軸（以下「音響出力素子アレイの軸」という）方向に音響再生領域を設定する場合において、簡易な作業で所望の指向特性を実現できる技術を提供することを目的とする。また、複数の人が居る場面において、その中の特定の個人のみにガイダンスを聞かせたり、その個人に対してのみ操作説明を行うことが可能な音響出力素子アレイを実現することを目的とする。
【課題を解決するための手段】
【００１６】
本発明では上記課題を解決するために、同一軸上に並べられ、各指向特性が当該軸に対して軸対称となる向きに配置される複数の音響出力素子と、再生音信号が入力される音響出力素子と同数のディジタルフィルタを有する第１ディジタルフィルタ群と、妨害音信号が入力される音響出力素子と同数のディジタルフィルタを有する第２ディジタルフィルタ群と、第１ディジタルフィルタ群と第２ディジタルフィルタ群の各フィルタの出力信号を加算する加算器群とを含み、第１ディジタルフィルタ群と第２ディジタルフィルタ群の複数の音響出力素子に対応するそれぞれの出力信号を加算して生成した各供給信号を、対応する音響出力素子に供給する信号供給部と、を有し、各音響出力素子が、供給された各供給信号に応じた音響信号を空間に放出し、第１ディジタルフィルタ群が、各音響出力素子から放出される各音響信号を、各音響出力素子から各制御点までが自由空間であると近似した場合における各音響出力素子から各制御点までの各近似伝達関数で畳み込んで各制御点でそれぞれ混合した場合に、当該畳み込み混合信号が、各音響出力素子が並べられた軸方向に設定された音響再生領域の制御点で否零となり、当該音響再生領域を除く音響遮断領域の制御点で零となるフィルタ係数が設定された第１ディジタルフィルタ群であり、第２ディジタルフィルタ群が、各音響出力素子から放出される各音響信号を、各音響出力素子から各制御点までが自由空間であると近似した場合における各音響出力素子から各制御点までの各近似伝達関数で畳み込んで各制御点でそれぞれ混合した場合に、当該畳み込み混合信号が、各音響出力素子が並べられた軸方向に設定された音響再生領域の制御点で零となり、当該音響再生領域を除く音響遮断領域の制御点で否零となるフィルタ係数が設定された第２ディジタルフィルタ群であり、各近似伝達関数が、各音響出力素子から各制御点までの各距離を用いてそれぞれ算出された関数である、ことを特徴とする音響出力素子アレイが提供される。なお、自由空間とは、理想的な無響空間（無反射状態の空間）を意味する。
【発明の効果】
【００１７】
本発明では、音響出力素子アレイの軸方向に音響再生領域を設定する場合において、簡易な作業で所望の指向特性を実現できる。特に音響遮断領域に対して妨害音を生成するので、音響再生領域内に位置する特定の個人にガイダンス等を聞かせることが可能になる。
【発明を実施するための最良の形態】
【００１８】
以下、本発明の実施の形態を図面を参照して説明する。
〔原理〕
まず、本形態の原理について説明する。
本形態では、音響出力素子アレイの軸に対して垂直方向に音響信号を出力するのではなく、音響出力素子アレイの軸方向に受聴者がおり、この音響出力素子アレイの軸方向に音響信号を出力し、それ以外の方向で音響信号を抑圧するものである。すなわち、本形態の音響出力素子アレイは、音響出力素子アレイの軸方向の受聴者側に設定された音響再生領域に音響信号を放出し、当該音響再生領域を除く音響遮断領域で音響信号を抑圧する。
【００１９】
そのために、本形態では、同一軸上に並べられ、各指向特性が当該軸に対して軸対称となる向きに配置される複数の音響出力素子と、各音響出力素子にそれぞれ対応する互いに独立なディジタルフィルタを含み、当該各ディジタルフィルタを用いて生成した各供給信号を、それぞれに対応する音響出力素子に供給する信号供給部と、を有し、各音響出力素子が、供給された各供給信号に応じた音響信号を空間に放出し、ディジタルフィルタが、各音響出力素子から放出される各音響信号を、各音響出力素子から各制御点までが自由空間であると近似した場合における各音響出力素子から各制御点までの各近似伝達関数で畳み込んで各制御点でそれぞれ混合した場合に、当該畳み込み混合信号が、各音響出力素子が並べられた軸方向に設定された音響再生領域の制御点で否零となり、当該音響再生領域を除く音響遮断領域の制御点で零となるフィルタ係数が設定されたディジタルフィルタであり、各近似伝達関数が、各音響出力素子から各制御点までの各距離を用いてそれぞれ算出された関数である音響出力素子アレイを用いる。
【００２０】
ここで、本形態の音響出力素子アレイを構成する複数の音響出力素子（例えば、スピーカ）は、同一軸上に並べられ、各指向特性が当該軸に対して軸対称となる向きに配置される。これにより、各音響出力素子自体の指向特性が音響出力素子アレイの軸に対して軸対称となる。そのため、空間の伝達関数も当該軸に対して軸対称であれば、互いに軸対称な制御点を設けることなく全方位の指向特性の制御が可能となることが期待される。  しかしながら、実際の環境では、音響出力素子を上述のように配置したとしても、反射の影響から伝達関数が当該軸に対して軸対称とならない場合が多い。したがって、互いに軸対称な制御点のうち一方の制御点のみにマイクロホンを設置し、マイクロホンが設置された制御点の観測結果をもとに伝達関数を求め、当該伝達関数をマイクロホンが設置された制御点に対して軸対称な制御点に対応する伝達関数としても、実環境に適した適切なフィルタ係数を設定することはできない。そのため、制御点に配置したマイクロホンで測定した結果を用いて伝達関数を設定する場合、たとえ、各音響出力素子を上述のように配置したとしても、多くの抑圧制御点を設け、それらにマイクロホンを設置しなければならない。
【００２１】
そこで本形態では、実際にマイクロホンで音響信号を測定して伝達関数を設定するのではなく、各音響出力素子から各制御点までが自由空間（無反射状態、理想的な無響空間）であると近似し、各音響出力素子から各制御点までの距離のみから各伝達関数の近似関数（近似伝達関数）を算出する。このような近似に基づく近似伝達関数は、実際に観測点で音響信号を観測することなく、各音響出力素子から各制御点までの各距離を用いて容易に算出できる。さらに、このように近似伝達関数に基づいてフィルタ係数が設定されたディジタルフィルタは、或る制御点での実際の観測結果から算出した伝達関数をその観測点と軸対称な観測点の伝達関数としてフィルタ係数を設定したディジタルフィルタよりも、実環境に適合した性能を発揮する。反射の影響は軸対称ではなく、むしろそれらの影響を無視したほうが適切な解が得られるからである。
【００２２】
このような近似伝達関数として、例えば、以下の式を用いることができる。
Gmn(ω)=(α/rmn)・exp(‐j・ω・rmn/c)   …(6)
ここで、ωは周波数[Hz]を示し、Ｇｍｎ（ω）はｍ番目（ｍ＝１,...,Ｍ、Ｍは２以上
の整数）の音響出力素子から、ｎ番目（ｎ＝１,...,Ｎ、Ｎは１以上の整数）の制御点ま
での近似伝達関数を示す。また、ｒｍｎはｍ番目の音響出力素子からｎ番目の制御点までの距離[m]を示し、ｃは音速[m/s]を示し、ｊは虚数単位を示し、ｅｘｐはネイピア数を示し、α≠０は定数を示す。なお、本形態では、各制御点で信号を観測する必要がないため、各制御点を実際に空間上に配置する必要はない。各制御点は、各距離ｒｍｎが定まるように空間上に仮想的に配置されればよい。
【００２３】
各音響出力素子を上述のように配置し、式（６）に従って各音響出力素子から各制御点までの各近似伝達関数を設定した場合、同一の音響出力素子から音響出力素子アレイの軸に対して軸対称に配置された２つの制御点までの各近似伝達関数は互いに等しくなる。そのため、各制御点を、音響出力素子アレイの軸上（各音響出力素子が並べられた軸上）、及び／又は、当該軸に対して軸対称となる点の組うち一方の点のみに仮想的に設定するだけで、所望の指向特性を持つ音響出力素子アレイを構成するためのフィルタ係数を算出できる。
【００２４】
また、音響出力素子が、第１部位から第１音響信号を出力し、第２部位から当該第１音響信号と位相が反転した第２音響信号を出力する二重音源素子である場合には、例えば、以下の式を近似伝達関数として用いることができる。
【数４】
2010109579.tif 000006
【００２５】
ここで、ｒＦｍｎはｍ番目の音響出力素子の第１部位からｎ番目の制御点までの距離[m]を示し、ｒＲｍｎはｍ番目の音響出力素子の第２部位からｎ番目の制御点までの距離[m]を示す。また、αＦ及びαＲは正の定数である。なお、式（７）の二項目の符号が負となっているのは、第１音響信号の位相と第２音響信号との位相が互いに反転しているからである。また、このような二重音源素子の具体例としては、例えば、エンクロージャー（スピーカボックス）に入っていないスピーカがある。この場合、例えば、スピーカの音響信号放出面（前面）の中心部が第１部位となり、その背面の中心部が第２部位となる。通常、スピーカの振動板が前面側に押し出された状態は、その背面側から見ると振動板が前面側に押し込まれた状態となっているため、このようなスピーカの前面から放出される音響信号の位相と背面から放出される音響信号の位相とは互いに反転した状態となっている。
【００２６】
そして、以上のように設定された各音響出力素子から各制御点までの各距離を用いて各近似伝達関数を算出し、各音響出力素子から出力される各音響信号を、各音響出力素子から各制御点までの各近似伝達関数で畳み込んで各制御点でそれぞれ混合した場合に、当該畳み込み混合信号が、各音響出力素子が並べられた軸方向に設定された音響再生領域の制御点で否零となり、当該音響再生領域を除く音響遮断領域の制御点で零となるようにフィルタ係数を設定することで、所望の指向特性を持つ音響出力素子アレイを実現できる。
【００２７】
このように、本形態では、音響信号を放射したい方向に音響出力素子アレイの軸を配置し、さらにその軸に対して各音響出力素子の指向特性が軸対称になるように配置し、さらに仮想的に制御点を配置することで、制御点に実際にマイクロホンを配置し、マイクロホンでの観測結果を用いて音響出力素子と制御点の問の伝達関数を設定する必要がなくなり、式を計算するだけで容易に所望の指向特性を実現するフィルタ係数を求めることができる。つまり、実際に空間に制御点を配置することなく、仮想的な制御点の配置によってフィルタ係数を決定できるため、マイクロホンの設置などの煩わしい作業から開放される。
【００２８】
〔第１実施形態〕
次に、本発明の第１実施形態について説明する。本形態は、本発明を指向性スピーカに適用した実施形態である。
【００２９】
＜配置構成＞
図３は、第１実施形態の音響出力素子アレイ１００を構成する音響出力素子及び制御点の配置を説明するための図であり、図４は、第１実施形態の音響出力素子アレイ１００の構成を説明するための構成図である。
【００３０】
図３に示すように、本形態では、音響出力素子アレイ１００の軸２１に対して垂直方向に音響信号を出力するのではなく、音響出力素子アレイ１００の軸２１方向に受聴者１６がおり、この音響出力素子アレイ１００の軸２１方向に音響信号を出力し、それ以外の方向では音響信号を抑圧する。すなわち、本形態の音響出力素子アレイ１００は、軸２１方向の受聴者１６側に設定された音響再生領域１５に音響信号を放出し、当該音響再生領域１５を除く音響遮断領域２２で音響信号を抑圧する。
【００３１】
そのために、本形態では、軸２１上に複数（図３,４の例では４個）の音響出力素子１
２を並べ、これらの各指向特性が当該軸２１に対して軸対称となる向きに各音響出力素子１２を配置する。本形態では、例えば、音響信号の放出軸に対して軸対称な指向特性を持つ音響出力素子１２（例えば、スピーカ）を複数用い、これらの各音響信号の放出軸がそれぞれ軸２１上に配置され、さらに、各音響出力素子１２の音響信号放出面が受聴者１６側を向くように配置される（図３参照）。また、各音響出力素子１２の性能は互いに同一であり、これらは軸２１上に同一の間隔或いは不等間隔で配置される。
【００３２】
また、本形態では、各音響出力素子が並べられた軸２１方向の受聴者１６側に音響再生領域１５を設定し、音響再生領域１５の軸２１上に制御点１３（強調制御点）を設定する。これにより、上述のように配置された各音響出力素子１２は、供給された各供給信号に応じた音響信号の少なくとも一部を音響再生領域１５に向けて出力することになる。
【００３３】
さらに、本形態では、音響再生領域１５を除く領域に音響遮断領域２２を設定し、この音響遮断領域２２に、複数の制御点１４（抑圧制御点）を設定する。ただし、音響遮断領域２２の各制御点１４は、各音響出力素子１２が並べられた軸２１に対して軸対称となる点の組うち一方の点にのみ設定される。図３の例では、軸２１上に配置された音響出力素子１２列の中心点を中心とし、制御点１３を通る円の円周と軸２１との音響遮断領域２２での交点、及び、軸２１を境界とした一方側（図３の左側）の音響遮断領域２２の当該円周上のみに７個の仮想的な制御点１４が配置される。
【００３４】
また、図４に示すように、上述のように配置された複数の音響出力素子１２には、これらに供給信号を供給する信号供給部１１０が電気的に接続される。信号供給部１１０は、各音響出力素子１２にそれぞれ対応する互いに独立なディジタルフィルタ１１１、アンプ１１２、Ｄ／Ａ変換機１１３及びＡ／Ｄ変換機１１４と、アナログ信号が入力される信号入力端子１１５とを具備し、各ディジタルフィルタ１１１を用いて生成した各供給信号を、それぞれに対応する音響出力素子に供給する。
【００３５】
＜フィルタ係数設定方法＞
次に、上記の各ディジタルフィルタ１１１のフィルタ係数を設定する方法について説明する。ここでは、図４に例示するように、各音響出力素子１２が音響出力素子アレイ１００の軸２１上にｓ[ｍ]間隔で受聴者１３の方向に向けて配置され、軸２１上に配置された音響出力素子１２列の中心点からＬ[ｍ]の距離の位置に音響再生領域１５の制御点１３（強調制御点）及び音響遮断領域２２の各制御点１４（抑圧制御点）が配置されているものとする。また、図４における各音響出力素子１２を上から順番にｍ＝１,...,Ｍ（Ｍは音響出力素子１２の総数、図４の例ではＭ＝４）にそれぞれ対応する音響出力素子とし、制御点１３をｎ＝１に対応する制御点とし、各制御点１４を上から順番にｎ＝２,...,Ｎ（Ｎは制御点の総数、図４の例ではＮ＝８）にそれぞれ対応する制御点とする。また、図４において、音響出力素子１２列の中心点とｎ番目の制御点とを結ぶ直線と、軸２１とがなす角度θｎを、各音響出力素子の正面方向を０度として定義する（θ１＝０）。この場合、ｍ番目の音響出力素子１２からｎ番目の制御点までの距離は、
【数５】
2010109579.tif 000007
となる。このように求めた距離ｒｍｎを式（６）に代入することで、各音響出力素子１２から各制御点１４までの近似伝達関数Ｇｍｎ（ω）を決定することができる。
【００３６】
次に、以下の方程式を満たすフィルタ係数Ｈｍ（ω）（ｍ＝１,...,Ｍ）を求める。
【数６】
2010109579.tif 000008
【００３７】
ここで、式（９）の一番上の行の要素は制御点１３（強調制御点）に対応する要素であり、上から２〜Ｎ番目の要素は各制御点１４（抑圧制御点）に対応する要素である。すなわり、式（９）は、各音響出力素子（ｍ＝１,...,Ｍ）からそれぞれ出力される各音響信号Ｈｍ（ω）を、各近似伝達関数Ｇｍｎ（ω）で畳み込んで各制御点でそれぞれ混合した場合に、当該畳み込み混合信号が、各音響出力素子１２が並べられた軸方向に設定された音響再生領域１５の制御点（ｎ＝１）で否零となり、当該音響再生領域１５を除く音響遮断領域２２の制御点（ｎ＝２,...,Ｍ）で零となることを示している。なお、各音響信号
Ｈｍ（ω）は、各ディジタルフィルタ１１１に同一のインパルスが入力された場合の出力信号系列のｚ変換を意味している。そのため、このような関係を満たすＨｍ（ω）をｍ番目の音響出力素子１２に対応するディジタルフィルタ１１のフィルタ係数とすれば、制御点１３（強調制御点）で音響信号が再生され、各制御点１４（抑圧制御点）で音響信号が抑圧される指向特性が実現できる。
【００３８】
なお、上述のように各音響出力素子から各制御点までを自由空間と近似し、Ｇｍｎ（ω）を簡略化できた結果、Ｎの数がＭに比べて大きくても小さくても、ある程度適切な指向特性を実現できる。しかし、指向特性を最適化するためには、Ｎ＋１≦Ｍであることが望ましい。また、Ｌは、再生したい周波数帯域の下限周波数の波長よりも大きいことが望ましいが、その半分以上でも構わない。また、各角度θｎの間隔（θｎとθｎ-1との差）は、Ｌにもよるが１０〜４５度の間であればよい。
【００３９】
また、音響再生領域１５の少なくとも一部の制御点１３で、畳み込み混合信号の値が周波数に応じて変化するフィルタ係数が設定する構成でもよい。この場合には、式（９）の代わりに、以下の方程式を満たすフィルタ係数Ｈｍ（ω）（ｍ＝１,...,Ｍ）を求める。
なお、Ｄ（ω）は周波数ωに依存して異なる値をとる関数である。
【数７】
2010109579.tif 000009
【００４０】
さて、上記式（９）又は（１０）をＧ・Ｈ＝Ｒとおくと、音響出力素子アレイ１００に接続されたディジタルフィルタ１１の各フィルタ係数Ｈｍ（ω）は、以下の式で求められる。なお、αＴはαの転置行列を示す。
Ｈ＝ＧＴ・（ＧＴ・Ｇ）−１・Ｒ  …(11)
また、逆行列が不安定にならないように、ＧＴ・Ｇの最大固有値に比べて小さな正の定数をδとしたとき、以下の式で代用して各フィルタ係数Ｈｍ（ω）を求めても良い。ただし、ＩはＭ×Ｍの単位行列である。
Ｈ＝ＧＴ・（ＧＴ・Ｇ＋δ・Ｉ）−１・Ｒ  …(12)
また、式（９）（１０）は単なる例示であり、強調制御点の数は２以上でもよいし、これらの式の強調制御点に対応する右辺の要素として式（９）（１０）以外の値や関数を用いてもよい。
【００４１】
＜音響信号出力処理＞
次に、音響出力素子アレイ１００の音響信号出力処理について説明する。
まず、信号入力端子１１５から再生音声に対応するアナログ信号が入力される。入力されたアナログ信号は各Ａ／Ｄ変換機１１４でディジタル信号に変換され、上述のようにフィルタ係数が設定された各ディジタルフィルタ１１１に入力される。各ディジタルフィルタ１１１は、入力された各ディジタル信号を所望の指向特性を実現するための各供給信号に変換し、それらをそれぞれ各Ｄ／Ａ変換機１１３に出力する。各Ｄ／Ａ変換機１１３はそれらをアナログ信号に変換して各アンプ１２１に入力し、各アンプ１２１はそれらを増幅して各音響出力素子１２に供給する。そして、各音響出力素子１２は、それぞれ、入力信号に応じた音響信号を出力する。
【００４２】
＜実測結果＞
次に、上述のように構成した本形態の音響出力素子アレイ１００の指向特性の実測結果を例示する。
図５は、本形態の音響出力素子アレイ１００の指向特性の実測結果を例示するグラフである。ここでは、上方を受聴者１３の方向とし、この方向を角度０度とし、反時計方向に９０度、１８０度とし、２２．５度おきに音響出力素子アレイ１００の中心から５０ｃｍ離れた点において音圧を測定した。また、ここでは、音響出力素子１２の間隔ｓを０．０４８ｍ（４．８ｃｍ）とし、Ｌを０．５ｍ（５０ｃｍ）とし、仮想的な制御点１３（強調制御点）が角度θ１＝０°の位置にあるとし、仮想的な各制御点１４（抑圧制御点）がそれぞれ角度θ２＝４５°, θ３＝６７．５°, θ４＝９０°, θ５＝１１２．５°, θ６＝１３５°, θ７＝１５７．５°, θ８＝１８０°の位置にあるものとする。また、音速ｃは、室温Ｔを摂氏２４度と仮定して、
ｃ＝３３ｌ.５＋０．６１Ｔ  …(13)
により算出した。そして、これらの値を式（８）に代入することで、各距離ｒｍｎを算出し、近似伝達関数Ｇｍｎ（ω）を式（６）により計算し、式（９）の方程式を満たすＨｍ（ω）をｍ番目の音響出力素子１２に対応するディジタルフィルタ１１のフィルタ係数として算出した。
【００４３】
また、図５では、同心円状に広がる破線の中心が最も低い音圧値を示し、外に広がるほど高い音圧値を示している。また、この破線間隔は１０ｄＢの音圧差を示している。また、図５の実線は上述のように音響出力素子アレイ１００の中心から５０ｃｍ離れた点において測定された音圧値を示す。図５に示すように、前方（受聴者１３方向、０度）に比べて側面（９０度、２７０度）や後方（１８０度）において１５ｄＢ以上抑圧効果が高く、結果として受聴者１３にのみ音が到達し、その他の方向には音が聞こえにくいという指向特性を持つ音響出力素子アレイ１００が形成されていることがわかる。
【００４４】
ただし、斜め後方（１３５度、２２５度）と後方（１８０度）の抑圧効果を比較すると、後方の抑圧量が少ない。後方の音圧が斜め後方よりも７ｄＢ程度大きく、後方への音漏れがある。そこで、この後方の抑圧量を増やす工夫をした第２実施形態を次に説明する。
【００４５】
〔第２実施形態〕
第２実施形態は、式（１４）に示すように、フィルタ係数を求める時に各制御点の数Ｎに対応する重み係数（ａ１，ａ２，…，ａＮ）を乗算するようにしたものである。
【数８】
2010109579.tif 000010
【００４６】
式（１４）において、行列の行の上から順番に音響出力素子が並べられた軸正面（０度）から後方（１８０度）の方向に対応しているとすると、後方への音漏れを少なくするためには、重み係数がａ１＜ａ２＜…＜ａｎ−１であることが望ましい。式（１４）をＡＧＨ＝ＡＲと置き、最小自乗法により誤差を最小にするフィルタ係数Ｈは式（１５）で求められる。
Ｈ＝（ＧＴ・ＡＴＡＧ）−１ＧＴ・ＡＴＡ・Ｒ  …（１５）
【００４７】
式（１４）において、最後の行を音響出力素子アレイ１００の１８０度の制御点をコントロールするための式であるとする。そして、例えば、ａｎ＝１（ｎ＝１からＮ−１まで）、ａｎ＝３（ｎ＝Ｎ）とし、音響出力素子１２の数をＭ＝４としてフィルタ係数を求める。つまり、音響出力素子１２が同一軸上に並べられた音響遮断領域の当該軸上の制御点に対応する重み係数を最大に設定する。
【００４８】
その重み係数を乗算して求めたフィルタ係数Ｈ１〜Ｈ４を、第１実施形態のディジタルフィルタ１１１のフィルタ係数として測定した指向特性を図６に示す。図６は、上記した音響出力素子アレイ１００の指向特性の実験結果を例示した図５と基本的に同じ図であるが、音圧の測定点が異なる。図６では、音響出力素子アレイ１００の中心から１.０ｍの距離の音圧を、反時計方向に１５度置きに測定している。
【００４９】
図６中に一点鎖線で示す特性は、１個の音響出力素子（単一のスピーカ）での特性である。破線で示す特性は、重み係数を用いない音響出力素子アレイ１００の指向特性である。これらの特性に対して重み係数ａＮ＝３とした時の指向特性を実線で示す。０度を中心とした音響再生領域（例えば０±３０度の範囲）における指向特性は変化が無いのに対して、後方（１８０度）の音圧を約４ｄＢ抑圧している。
【００５０】
図７に、更に重み係数ａＮ＝８とした時の指向特性を示す。この時のｎ＝１からＮ−１までの重み係数ａｎはａｎ＝１である。後方（１８０度）の音圧を更に約２ｄＢ抑圧しているが、斜め後方（１２０度、２４０度）の音圧が増えている。そこで、斜め後方の音圧を増加させない目的で、重み係数を、ａ１＝１，ａ２＝１，ａ３＝２，ａ４＝４，ａ５＝６，ａ６＝８，ａ７＝１０，ａ８＝１２とした場合の指向特性を図８に示す。斜め後方の音圧を、重み係数を用いない場合の指向特性（破線）よりも小さくすることが出来た。しかし、その分、斜め前方（６０度、３３０度）方向の音圧が約６ｄＢ増加し、指向特性の全体の幅が広がる特性を示す。
【００５１】
このように音響遮断領域の制御点の数Ｎに対応する重み係数（ａ１，ａ２，…，ａＮ）によって、音響出力素子アレイ１００の指向特性を制御することが可能である。
また、式（１５）に示すように厳密解ではなく最小自乗法によってフィルタ係数Ｈを求めた場合、強調制御点での特性が１になることが保障されない。そのため音響出力素子アレイ１００の音色が、単一のスピーカの音色と異なってしまう場合がある。
【００５２】
そこで、単一のスピーカと同じ音色の音声を補償する目的で、補正フィルタＦ（ω）を導入する方法が考えられる。それは、式（１６）に示すように最終的なフィルタ係数ＨｍＦを補正フィルタＦ（ω）によって補正された特性とする考えである。この場合、補正フィルタＦ（ω）は式（１７）を満たす補正フィルタＦ（ω）を用いる。添え字のＦは最終（Fianl）を意味する。
ＨｍＦ（ω）＝Ｆ（ω）Ｈｍ（ω）…（１６）
【数９】
2010109579.tif 000011
【００５３】
この補正フィルタＦ（ω）により、例えば強調制御点ｎ＝１における畳み込み混合信号の特性が１になるように補正される。図９に補正フィルタＦ（ω）の効果を表す音響出力素子アレイ１００が出力する音圧の周波数特性を示す。図９は、音響出力素子アレイ１００の正面、つまり音を再生したい方向での音の周波数特性を示す。横軸は周波数（ｋＨｚ）であり、縦軸は音圧（ｄＢ）である。
【００５４】
図９中に細線で示す特性が単一のスピーカの周波数特性である。点線が最小自乗法で求めたフィルタ係数を用いた音響出力素子アレイ１００の周波数特性である。１.５ｋＨｚ〜３ＫＨｚにおける音圧が、単一のスピーカの特性より約０.２５ｄＢ高めに出ている。つまり、音響出力素子アレイ１００と、単一のスピーカとで音色が異なっている。
【００５５】
この細線の特性に対して補正フィルタＦ（ω）を用いた特性を太線で示す。太線の特性は、点線の特性とほぼ等しい周波数特性を示すことが分かる。このように補正フィルタＦ（ω）により、強調制御点ｎ＝１における畳み込み混合信号の特性を１になるように補正することで、この発明の音響出力素子アレイ１００の音を単一のスピーカの音とほぼ同じ音色にすることが出来る。なお、畳み込み混合信号の特性を１にするように補正する制御点は任意の制御点でかまわない。
【００５６】
〔第３実施形態〕
実施形態１の音響遮断領域における音圧の抑圧効果は、最大で１５ｄＢ程度であった。例えば、複数の人が集まる公共の場でスピーカを使って、特定の個人にのみガイダンスを聞かせたい場合や、その人のみに対して操作説明等を行う場面を想定すると、１５ｄＢ程度の抑圧効果では不十分な場合も有りえる。
【００５７】
そこで、第３実施形態として、受聴者に聞かせるための再生音の他に、受聴者以外には再生音が聞こえなくなるような妨害音を生成するようにした例を説明する。第３実施形態の音響出力素子アレイ９００の機能構成例を図１０に示す。
【００５８】
音響出力素子アレイ９００は、信号供給部９１０に、加算器群９１１と、第２ディジタルフィルタ群９１２と、Ａ/Ｄ変換機９１３と、入力端子９１４とが追加されている点が、実施形態１の音響出力素子アレイ１００の構成と異なる。実施形態１の再生音信号が入力されるディジタルフィルタ１１１を、ここでは第２ディジタルフィルタ９１２と区別する目的で第１ディジタルフィルタ群１１１と称する。第１ディジタルフィルタ群１１１には、前記した音響再生領域の制御点で否零となり、音響遮断領域の制御点で零となるフィルタ係数が設定される。なお、以降では複数を意味する群の文言は省略して説明する。
【００５９】
第２ディジタルフィルタ９１２は、第１ディジタルフィルタ１１１と同様に音響出力素子１２と同じ数設けられる。この例では４個の第２ディジタルフィルタ９１２が設けられる。各第２ディジタルフィルタ９１２には、入力端子９１４に入力されるアナログ信号の妨害音信号をＡ/Ｄ変換機９１３でディジタル信号に変換した信号が入力される。
【００６０】
第２ディジタルフィルタ９１２のフィルタ係数Ｐｍ（ω）の設定方法について説明する。妨害音は、音響再生領域内の受聴者には聞こえず、音響遮断領域内で聞こえることが望ましい。そこで、音響再生領域内の制御点を抑圧制御点に、音響遮断領域内の制御点を強調制御点に設定する。その例を図１１に示す。図１１では、スピーカアレイの軸から９０度未満の角度に位置する３個の制御点を抑圧制御点に、９０度〜１８０度の角度に位置する３個の制御点を強調制御点に設定している。
【００６１】
このように制御点を設定することで、フィルタ係数Ｐｍ（ω）は、式（１８）で記述することが出来る。
【数１０】
2010109579.tif 000012
【００６２】
式（１８）において、上から３行は抑圧制御点に対応し、下の３行が強調制御点に対応している。抑圧と強調の各制御点は、実現したい指向特性に合わせて任意に設定することが可能である。式（１８）をＧ・Ｐ＝Ｒと置き、最小自乗法により誤差を最小にするフィルタ係数Ｐは、式（１９）又は式（２０）で求められる。
Ｐ＝ＧＴ・（ＧＴ・Ｇ）−１・Ｒ  …  （１９）
Ｐ＝ＧＴ・（ＧＴ・Ｇ＋δＩ）−１・Ｒ  …  （２０）
ここでαＴはαの転置行列、δは小さな正の定数、ＩはＭ×Ｍの単位行列である。
【００６３】
式（１８）に示すように各制御点を配置し、音響出力素子１２の個数を４個とした条件で求めたフィルタ係数Ｐ１（ω），Ｐ２（ω），Ｐ３（ω），Ｐ４（ω）を、４個の第２ディジタルフィルタ９１２にそれぞれ設定した音響出力素子アレイ９００の指向特性を図１２に示す。図１２は、前記した図５と同じグラフに、実線で再生音、破線で妨害音を示す。受聴者が居る０度の方向に対しては、再生音が０ｄＢ、妨害音が−１７ｄＢで再生される。つまり、再生音信号がＳ/Ｎ比１７ｄＢで聞こえることになる。
【００６４】
一方、６０度の方向では、再生音信号が−１５ｄＢ、妨害音信号が−７ｄＢと、再生音信号のＳ/Ｎ比が−８ｄＢとなる。この方向では大きな妨害音の中で再生音信号を聞くことになり、ほぼ再生音信号が聞こえなくなる。また、９０度（側面）や１８０度（背面）方向では、−１５ｄＢ以上のＳ/Ｎ比で妨害音信号の音圧が大きいので再生音信号を聞くことが出来ない。このように第３実施形態によれば、妨害音信号を用いることで音声遮断領域における再生音信号の抑圧効果をより高めることが可能になる。
【００６５】
再生音信号を例えば人が会話する音声とした場合、その振幅は、周波数に反比例した特性となる。その場合に、妨害音信号を白色雑音とすると再生音信号のＳ/Ｎ比が低い場合でも、再生音信号が聞き取れてしまう場合がある。
【００６６】
図１３に再生音信号と妨害音信号の周波数特性の例を模式的に示す。図１３の横軸は周波数、縦軸は振幅である。図１３（ａ）に人の声を再生音信号とした場合の周波数特性を実線で、白色雑音の妨害音信号を破線で表す。この場合は、妨害音信号の振幅は周波数が変わっても一様なので、受聴者の位置によっても異なるが、再生音信号の振幅が妨害音信号の振幅を上回る状況が発生し易くなる。その結果、音声遮断領域内でも再生音信号が聞こえ易くなってしまう。
【００６７】
そこで、妨害音信号の周波数特性を、再生音信号と同じ傾向の特性にする方法が考えられる。妨害音信号を、高い周波数の振幅が漸減する周波数振幅特性を持ついわゆるピンクノイズとすることで、音響遮断領域における再生音信号の抑圧性能をより向上させられる。
【００６８】
その様子を図１３（ｂ）に示す。妨害音信号をピンクノイズにすることで、再生音信号の振幅が妨害音信号の振幅を上回ることが無くなり、音響遮断領域内において再生音信号を更に聞き難くすることが出来る。なお、再生音信号の周波数振幅特性が、逆に高い周波数で振幅が増加する特性の場合は、妨害音信号の周波数振幅特性を同じ傾向の特性とすることで、同様の効果を得ることが可能である。
【００６９】
好適な妨害音信号としては、発話内容の異なる音声を複数録音した音声を加算した信号等が考えられる。また、音響遮断領域内では、ＢＧＭ（Back Ground Music）としても使える歌声や音楽等でも良い。
【００７０】
また、第３実施形態の変形例として、再生音信号の時間包絡特性に、妨害音信号の時間包絡特性を合わせる方法も考えられる。図１４に、その変形例の機能構成例を示す。変形例の信号供給部９１０′は、妨害音生成部１４１を備える点で、第３実施形態と異なる。妨害音生成部１４１は、再生音信号と同一の時間包絡特性の妨害音を生成して第２ディジタルフィルタ９１２に供給するものである。
【００７１】
妨害音信号生成部１４１は、入力されるディジタル値の再生音信号を自乗して時間平均を計算し、その平方根を求めて再生音信号の時間包絡特性を抽出する。そして、その時間包絡特性に、例えば白色雑音を乗算して妨害音信号を生成する。このようにして生成された妨害音信号の時間包絡特性は、再生音信号のそれと同じになる。したがって、その妨害音信号は、音声遮断領域において再生音信号を聞き難くすることが出来る。なお、白色雑音に換えてピンクノイズを用いても良い。
【００７２】
〔第４実施形態〕
次に、本発明の第４実施形態について説明する。
本形態は、通信会議システムのように通信端末装置間で相互音声通信を行う場合に使用されるハンズフリー装置に本発明を適用した実施形態である。なお、以下では、これまで説明した内容との相違点を中心に説明する。
【００７３】
図１５は、第３実施形態の音響出力素子アレイ２００の構成を示す構成図である。
図１５に示すように、本形態の音響出力素子アレイ２００は、複数の音響出力素子１２と、互いに独立なディジタルフィルタ１１１を含む信号供給部１１０と、音響遮断領域に配置された音声通信用の受音素子２６３（例えば、マイクロホン）と、エコーキャンセラ２６６と、入力端子２６４と、出力端子２６５とを有する。なお、図１５では、信号供給部１１０が具備するアンプ１１２、Ｄ／Ａ変換機１１３、Ａ／Ｄ変換機１１４の記載を省略する。
【００７４】
ここで、複数の音響出力素子１２は、第１実施形態と同様に、同一軸上に並べられ、各指向特性が当該軸に対して軸対称となる向きに配置される。しかし、各音響出力素子１２は、各音響出力素子１２の音響信号放出面が受聴者２６１側を向くように配置されるのではなく、これらが水平面と垂直な上方を向くように配置される。すなわち、各音響出力素子１２が並べられる軸は、地面に対して垂直な軸であり、各音響出力素子１２は、それぞれの音響信号放出面を地面と反対の方向に向けて配置される（図１５参照）。なお、「垂直」とは数学的に厳密な垂直だけではなく、実用上同様な作用効果を得ることが可能な略垂直をも含む概念である。
【００７５】
また、信号供給部１１０の構成は、第１実施形態と同様でよく、各音響出力素子１２の配置に応じ、音響再生領域を各音響出力素子１２の上方に設定し、それを除く領域に音響抑圧領域を設定して、各仮想的な制御点を設定し、第１実施形態と同様に、ディジタルフィルタ１１１のフィルタ係数を設定すればよい。また、音声通信用の受音素子２６３は、音響遮断領域に配置されるが、この設置位置を音響遮断領域の仮想的な制御点としてフィルタ係数を設定することがより望ましい。
【００７６】
本形態の音響出力素子アレイ２００の場合、受聴者２６１から発せられた音声は、受音素子２６３に受音され、電気信号に変換されてエコーキャンセラ２６６を通じて出力端子２６５から出力され、通信相手の装置へ送信される。一方、通信相手の装置から送信された送信信号は、エコーキャンセラ２６６の処理に利用されるとともに、信号入力端子１１５に入力される。信号入力端子１１５は、第１実施形態と同様に各ディジタルフィルタ１１１を用いて各供給信号を生成し、生成した各供給信号を対応する各音響出力素子１２に供給し、各音響出力素子１２はこれに応じた音響信号を放出する。
【００７７】
このような音響出力素子アレイ２００の場合、指向特性は、上向きとなるため、受聴者２６１は、音響信号が放出される領域から側面方向にもれた音を聴くことになる。この場合、音響出力素子アレイ２００の近くでは音は十分聞こえるが、離れると聞こえなくなるため、結果としてある特定の領域内のみで音が再生されることになり、周囲に音漏れがない会議装置を形成することが可能となる。
【００７８】
また、受聴者２６１の声を拾うための受音素子２６３を音響出力素子アレイ２００の音響遮断領域に配置することで、各音響出力素子１２から放出された音響信号が受音素子２６３に入るエコー信号を抑制することができ、結果的に後段のエコーキャンセラ２６６の負荷を軽減させることが期待できる。
【００７９】
図１６は、第３実施形態の音響出力素子アレイ２００の指向特性と、各音響出力素子１２、受音素子２６３，２６７及び受聴者２６１,２６２の配置とを重ねた図である。なお、受音素子２６７は、受音素子２６３と同様なものである。また、この図の表記は図５と同様であり、その指向特定は、仮想的な抑圧制御点をＬ＝５０ｃｍで、角度９０度、１２０度、１５０度、１８０度の４箇所としてフィルタ係数を定めた場合のものである。
【００８０】
図１６に示すように、音響出力素子アレイ２００では、受聴者２６１,２６２の耳元には音が十分な音量で届くが、受音素子２６３，２６７の位置では音が小さいことがわかる。
【００８１】
なお、本発明は上述の実施の形態に限定されるものではない。例えば、上記の各実施形態では、ディジタルフィルタ１１１のフィルタ係数が事前計算によって設定される例を示した。しかし、音響出力素子と制御点との距離が動的に変化し、それらの距離情報を動的に得ることができる場合には、ディジタルフィルタ１１１のフィルタ係数を動的に設定し、指向特性を動的に変化させることとしてもよい。
【００８２】
また、上記の各実施形態では、音響出力素子アレイを構成する各音響出力素子を同一性能のものとしたが、音響出力素子アレイを構成する音響出力素子の一部が他の音響出力素子と異なる性能を持っていてもよい。例えば、音響出力素子アレイを構成する音響出力素子の一部が二重音源素子であり、他の音響出力素子が単音源素子であってもよい。
【００８３】
また、上記の各実施形態では、音響出力素子アレイを構成する各音響出力素子の各音響信号放出面が同一方向を向くように各音響出力素子を配置したが、音響出力素子アレイの軸に対して軸対称な指向特性を実現できるのであれば、一部の音響出力素子が他の音響出力素子と異なる向きを向いていてもよい。
【００８４】
また、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【産業上の利用可能性】
【００８５】
本発明は、例えば、オーディオ信号を再生する音響機器、通信機器等に利用することができる。
【図面の簡単な説明】
【００８６】
【図１】図１は、特許文献２に示された複数のスピーカを直線状に並べたスピーカアレイの構成を示す構成図である。
【図２】図２は、スピーカアレイの構成を例示するための図である。
【図３】図３は、第１実施形態の音響出力素子アレイを構成する音響出力素子及び制御点の配置を説明するための図である。
【図４】図４は、第１実施形態の音響出力素子アレイの構成を説明するための構成図である。
【図５】図５は、第１実施形態の音響出力素子アレイの指向特性の実測結果を例示するグラフである。
【図６】図６は、第２実施形態の音響出力アレイの指向特性の一例を示す図である。
【図７】図７は、第２実施形態の音響出力アレイの指向特性の一例を示す図である。
【図８】図８は、第２実施形態の音響出力アレイの指向特性の一例を示す図である。
【図９】図９は、補正フィルタＦ（ω）の効果を表す音圧の周波数特性を示す図である。
【図１０】図１０は、第３実施形態の音響出力素子アレイの構成を説明するための構成図である。
【図１１】図１１は、第３実施形態の音響出力素子アレイを構成する音響出力素子及び制御点の配置を説明するための図である。
【図１２】図１２は、第３実施形態の音響出力アレイの指向特性の実験結果を例示するグラフである。
【図１３】図１３は、再生音信号と妨害音信号の周波数特性の関係を模式的に示す図であり、（ａ）は妨害音信号が白色雑音の場合、（ｂ）は妨害音信号がピンクノイズの場合を示す図である。
【図１４】図１４は、第３実施形態の変形例の構成を説明するための構成図である。
【図１５】図１５は、第４実施形態の音響出力素子アレイの構成を示す構成図である。
【図１６】図１６は、第４実施形態の音響出力素子アレイの指向特性と、各音響出力素子、受音素子及び受聴者の配置とを重ねた図である。
【図１】
2010109579.tif 000013
【図２】
2010109579.tif 000014
【図３】
2010109579.tif 000015
【図４】
2010109579.tif 000016
【図５】
2010109579.tif 000017
【図６】
2010109579.tif 000018
【図７】
2010109579.tif 000019
【図８】
2010109579.tif 000020
【図９】
2010109579.tif 000021
【図１０】
2010109579.tif 000022
【図１１】
2010109579.tif 000023
【図１２】
2010109579.tif 000024
【図１３】
2010109579.tif 000025
【図１４】
2010109579.tif 000026
【図１５】
2010109579.tif 000027
【図１６】
2010109579.tif 000028